(57)【要約】【課題】【解決手段】ＥＵＶ光線７８を集めるＥＵＶ光線源１０の光学コレクタ７０である。光学コレクタ７０は、楕円形皿形反射器７２を有しており、反射器７２の焦点７６にて発生された光は反射器７２によって集められ且つ集光位置８２に向けられる。切頭型環状反射器９０が、皿形反射器７２の外端縁８４の周りに配置され、さもなければ失われるであろうＥＵＶ光線７８をより多量に集める。環状反射器９０によって反射された線７８は、皿形反射器７２の焦点７６と集め位置８２との間に配置された中央アクシコン反射器９４に向けられ、環状反射器９０によって反射された線７８を所定の集め角度内にあるように方向変更する。【選択図】  図１
2004333475.tif 000002
【特許請求の範囲】
【請求項１】
光源用の光学コレクタにおいて、
焦点を有する主要反射器であって、該主要反射器の焦点にて発生された光が集光位置に向けられるようにした、前記主要反射器と、
主要反射器の外端縁の周りに配置された環状反射器であって、主要反射器によって反射されなかった第一の焦点から光を反射する前記環状反射器と、
焦点と集光位置との間に配置された中央反射器であって、環状反射器から反射された光が中央反射器から反射され且つ、集光位置に向けられるようにした、前記中央反射器とを備える、光源用の光学コレクタ。
【請求項２】
請求項１に記載の光学コレクタにおいて、
主要反射器が、所定の寸法を有する皿形反射器であり、主要反射器から反射された光が所定の反射円錐体内に封じ込められ、
中央反射器から反射された光が反射円錐体内にあるようにした、光学コレクタ。
【請求項３】
請求項１に記載の光学コレクタにおいて、
環状反射器が線形であり、
中央反射器が動力作動式アクシコン反射器（ｐｏｗｅｒｅｄ  ａｘｉｃｏｎ  ｒｅｆｌｅｃｔｏｒ）であり、
光が環状反射器の内面から反射され且つ、中央反射器の外面から反射されるようにした、光学コレクタ。
【請求項４】
請求項１に記載の光学コレクタにおいて、
環状反射器が湾曲型反射器であり、
中央反射器が線形アクシコン反射器である、光学コレクタ。
【請求項５】
請求項１に記載の光学コレクタにおいて、
主要反射器が楕円形反射器であり、
集光位置が楕円形反射器の焦点である、光学コレクタ。
【請求項６】
請求項１に記載の光学コレクタにおいて、
主要反射器が、中央開口を有し、
該中央開口を通って、レーザビームが伝播し焦点にて光を発生させる、光学コレクタ。
【請求項７】
請求項１に記載の光学コレクタにおいて、
主要反射器、環状反射器及び中央反射器の反射面がＳｉ／Ｍｏ多層を含む反射性被覆を有する、光学コレクタ。
【請求項８】
請求項１に記載の光学コレクタにおいて、
該コレクタが、極紫外光線源（ｅｘｔｒｅｍｅ  ｕｌｔｒａｖｉｏｌｅｔ  ｒａｄｉａｔｉｏｎ  ｓｏｕｒｃｅ）の一部であり、光が極紫外（ＥＵＶ）光線である、光学コレクタ。
【請求項９】
請求項８に記載の光学コレクタにおいて、
焦点が標的位置であり、
該標的位置にて、レーザビームが標的材料を蒸発させてＥＵＶ光線を発生させる、光学コレクタ。
【請求項１０】
極紫外（ＥＵＶ）光線を発生させる極紫外（ＥＵＶ）光線源において、
標的領域に向けられる標的材料の流れを発生させる装置と、
標的領域に向けられ、標的材料と相互作用してＥＵＶ光線を発生させるレーザビームを生じさせるレーザ源と、
ＥＵＶ光線を集め且つ、ＥＵＶ光線を集光位置に向ける光学コレクタであって、主要反射器を有し、標的領域が該主要反射器の焦点であり、主要反射器の外端縁の周りに配置された環状反射器と、焦点と集光位置との間に配置された中央反射器とを有する前記光学コレクタと、を備え、
標的領域にて発生されたＥＵＶ光線が主要反射器によって反射され且つ、集光位置に向けられ、
環状反射器が、主要反射器によって反射されなかった光を標的領域から反射し、環状反射器によって反射された光が中央反射器から反射され且つ、集光領域に向けられるようにした、極紫外（ＥＵＶ）光線源。
【請求項１１】
請求項１０に記載の極紫外（ＥＵＶ）光線源において、
主要反射器が所定の寸法を有する皿形反射器であり、
主要反射器から反射された光線が所定の反射角度内にあるように封じ込められ、中央反  射器から反射された光線が反射角度内にあるようにした、源。
【請求項１２】
請求項１０に記載の源において、
環状反射器が線形切頭体（ｆｒｕｓｔｕｍ）であり、
中央反射器が動力作動式アクシコン反射器であり、
光線が、環状反射器の内面から反射され且つ、中央反射器の外面から反射されるようにした、極紫外（ＥＵＶ）光線源。
【請求項１３】
請求項１０に記載の極紫外（ＥＵＶ）光線源において、
環状反射器が、動力作動式反射器を有する切頭体であり、
中央反射器が線形アクシコン反射器である、源。
【請求項１４】
請求項１０に記載の源において、
主要反射器が楕円形反射器であり、
集光位置が楕円形反射器の焦点である、極紫外（ＥＵＶ）光線源。
【請求項１５】
請求項１０に記載の極紫外（ＥＵＶ）光線源において、
主要反射器が中央開口を有し、
該中央開口を通じて、レーザビームが伝播してＥＵＶ光線を発生させる、極紫外（ＥＵＶ）光線源。
【請求項１６】
請求項１０に記載の極紫外（ＥＵＶ）光線源において、
主要反射器、環状反射器及び中央反射器の反射面がＳｉ／Ｍｏ多層を含む、極紫外（ＥＵＶ）光線源。
【請求項１７】
光を集める方法において、
光を主要反射器から反射させることと、
主要反射器の外端縁の周りに配置された環状反射器から、主要反射器によって反射されない光を反射させることと、
環状反射器によって反射された光を中央集光器から反射させることと、
中央反射器から反射された光を集光位置に向けることとを備える、光を集める方法。
【請求項１８】
請求項１７に記載の方法において、主要反射器からの光を反射させることが、光を所定の角度内にあるように反射させることを含み、
中央反射器から反射された光が該角度内にあるようにした、方法。
【請求項１９】
請求項１７に記載の方法において、
主要反射器から光を反射させることが、光を楕円形皿形反射器から反射させることを含む、方法。
【請求項２０】
請求項１７に記載の方法において、
環状反射器及び中央反射器から光を反射させることが、線形環状反射器及び円錐形中央反射器から光を反射させることを含み、
光が環状反射器の内面から反射され且つ中央反射器の外面から反射されるようにした、方法。
【請求項２１】
請求項１７に記載の方法において、
環状反射器及び中央反射器から光を反射させることが、湾曲型環状反射器及び線形アクシコン反射器から光を反射させることを含む、方法。
【発明の詳細な説明】
【技術分野】
【０００１】
本発明は、全体として、光源用の光学コレクタ、より具体的には、発生されたレーザプラズマ極紫外線（ＥＵＶ）光線を高比率にて集めるＥＵＶ光線源用の高効率の光学コレクタに関する。
【背景技術】
【０００２】
極小電子集積回路は、典型的に、当該技術分野の当業者に周知のフォトリソグラフィ工程によって基板上にパターン化され、この工程において、回路要素は、マスクを通って伝播する光ビームによって画成される。従来のフォトリソグラフィ工程及び集積回路の構築技術が益々伸展するに伴ない、回路要素は、より小型となり且つ、より互いに密に隔てられる。回路要素がより小型になるに伴ない、より短い波長及びより高い周波数を有する光ビームを発生させるフォトリソグラフィ光源を採用することが必要である。換言すれば、光源の波長が短くなるに伴ないフォトリソグラフィ工程の解像度は増大して、より小型の集積回路要素を画成することを可能にする。フォトリソグラフィ光源の現在の傾向は、極紫外線（ＥＵＶ）すなわち軟らかいＸ線波長の光を発生させるシステムを開発することである。
【０００３】
ＥＵＶ光線を発生させる色々な装置が当該技術分野にて既知である。最も普及しているＥＵＶ光線源の１つは、レーザプラズマ標的材料として、典型的にキセノンである、気体を使用するレーザプラズマ気体凝縮源である。アルゴン及びクリプトンのような、その他の気体及び気体の組み合わせ体もレーザ標的材料用として既知である。レーザ発生プラズマ（ＬＰＰ）に基づく既知のＥＵＶ光線源において、気体は、典型的に、ノズル内にて、液体状態になるまで極低温冷却され、次に、オリフィス又はその他のノズル開口から連続的な液体流又はフィラメントとして真空プロセスチャンバ内に強制的に供給される。液体標的材料は、典型的に、真空環境内にて急速に凍結して凍結標的流れとなる。室温にて気体となる極低温冷却された標的材料が必要とされるが、その理由は、その標的材料は源光学素子上に凝縮せず、また、プロセスチャンバによって排出しなければならない副生成物の発生が最小でからである。幾つかの型式のものにおいて、標的材料が所定の直径（３０乃至１００μｍ）及び所定の液滴の間隔を有する液滴流としてノズルから放出されるようにノズルを振動させる。
【０００４】
標的流は、典型的に、Ｎｄ：ＹＡＧレーザから高パワーのレーザビームパルスによって照射され、該Ｎｄ：ＹＡＧレーザは、標的材料を加熱して高温度プラズマを発生させ、この高温度プラズマがＥＵＶ光線を放出する。レーザビームパルスの周波数は、用途に応じて特定的であり且つ、多様な要因に依存する。レーザビームパルスは、プラズマを発生させるのに十分な熱を提供し得るように標的領域にて特定の強さを有しなければならない。典型的なパルスの持続時間は、５乃至３０ｎｓであり、典型的なパルス強さは、５ｘ１０10乃至５ｘ１０12Ｗ／ｃｍ2の範囲にある。
【発明の開示】
【発明が解決しようとする課題】
【０００５】
図１は、圧力下にて、キセノンのような適宜な標的材料を保存する標的材料の保存チャンバ１４を有するノズル１２を備える、上記に論じた型式のＥＵＶ光線源１０の平面図である。標的材料を液体状態に極低温冷却する熱交換器又は凝縮器がチャンバ１４内に設けられている。液体標的材料は、ノズル１２の狭小な喉部分又は毛管１６を通じて強制的に供給されて、圧力下にてフィラメント又は流れ１８として標的領域２０に向け真空プロセスチャンバ２６内に放出される。液体の標的材料は、真空環境内にて急速に凍結し標的材料が標的領域２０に向けて伝播するとき、標的材料の固体フィラメントを形成する。真空環境は、標的材料の蒸気圧力と組み合わさって、流れ１８が移動する距離及びその他の要因に依存して、凍結した標的材料が最終的に分解して凍結した標的の破片となるようにする。
【０００６】
レーザ源２４からのレーザビーム２２は、プロセスチャンバ２６内にて標的領域２０に向けられて標的材料フィラメントを蒸発させる。レーザビーム２２からの熱によって標的材料はＥＵＶ光線３２を放射するプラズマ３０を発生させる。ＥＵＶ光線３２は、光学コレクタ３４によって集められ且つ、パターン化される回路（図示せず）に向けられ又はＥＵＶ光線３２を使用するその他の装置に向けられる。光学コレクタ３４は、楕円形のような、光線３２を集め且つ導く目的に適した任意の形状を有するものとすることができる。この型式のものにおいて、レーザビーム２２は、図示するように、光学コレクタ３４の開口３６を通って伝播する。その他の型式のものはその他の形態を採用することができる。
【０００７】
１つの代替的な型式のものにおいて、喉部分１６を、圧電振動機のような適宜な装置によって振動させ、液体標的材料が放出されて液滴流を形成するようにすることができる。振動周波数（ｆｒｅｑｕｎｃｙ  ｏｆ  ｔｈｅ  ａｇｉｔａｔｉｏｎ）は、液滴の寸法及び間隔を決定する。標的流れ１８が一連の液滴であるならば、レーザビーム２２をパルス発振させ、液滴の各々又は特定数の液滴の各々に衝突させることができる。
【０００８】
源の効率を向上させ得るように、可能な限り多量のＥＵＶ光線が集められることが望ましい。例えば、特定のフォトリソグラフィ工程のためのＥＵＶ光線の強さが強ければ強い程、パターン化される色々なフォトレジスト等を適正に露出させるのに必要な時間は益々、短くて済む。露出時間を短縮することにより、より多数の回路を製造することができ、これにより、生産効率を向上させ且つ、コストを低減することができる。更に、光学コレクタからより多くの有用なＥＵＶ光線を提供することにより、レーザビームの強さは低下し、これにより、装置の資源を節約することもできる。
【０００９】
光学コレクタの反射面の反射率を最適化することは、集められるＥＵＶ光線の量を増大させるための１つの方法である。典型的に、光学コレクタの反射面は、その反射率を向上させ得るように反射性被覆にて被覆されている。しかし、被覆材料は、反射面に衝突し且つ、被覆材料を解放する、プラズマによって発生された高エネルギイオンに応答して源の構成要素を汚さないことも重要である。望まれる特徴を提供するかかる被覆の１つは、ケイ素／モリブデン（Ｓｉ／Ｍｏ）多層である。しかし、光学コレクタにおける最良のＳｉ／Ｍｏ被覆は、その理論上最大の性能のときでさえ、その上に衝突するＥＵＶ光線の約７０％しか反射しない。
【００１０】
図２は、ＥＵＶ光線４４を集め且つ収束させる楕円形の反射器４２を有し、源１０における光学コレクタ３４と同一型式である光学コレクタ４０の平面図である。楕円形の反射器４２は、中央開口４６を有しており、該中央開口４６を通ってレーザビームは、反射器４２の焦点の標的領域５０まで伝播し、上記に論じた仕方にてＥＵＶ光線４４を発生させる。反射器４２は、反射器４２を表わす線が連続するならば、楕円形の断面を有する回転形態を形成する楕円形の形状を有する。全反射器４２は、当該技術分野にて周知であるように、図面内に且つ図面から伸びて長円形の皿形反射器を形成する。
【００１１】
上記に論じたように、ＥＵＶ光線４４を可能な限り多量に集めることが重要である。本明細書に示した型式のものにおいて、ＥＵＶ光線４４は、反射器４２の内面５８から反射され、且つ、楕円体のその他の焦点５２に向けられる。ＥＵＶ光線４４の外側線５４、５６は、ＥＵＶ光線４４を集めることができ、しかも、焦点５２に向けることのできる、反射器４２の外端縁６２に対する最外側の位置を表わす。最外側線５４、５６は、ＥＵＶ光線４４を使用できる円錐体の外面を画成する。線５４、５６によって画成された円錐体の外側のＥＵＶ光線は、ＥＵＶ光線源を使用できるシステムのフォトリソグラフィ側の許容された集光角度外にあるため、使用できない。このため、集光器４２の寸法は、図示するように制限される。しかし、ここで線６０として示した、標的領域５０から放出されたＥＵＶ光線４４の一部は、反射器４２によって集められず、システム内にて無駄なＥＵＶ光線として失われる。反射器４２は、線６０を集め得るようにより大きく製造することはできないが、依然、ある角度範囲で集める必要性を満足させる。
【課題を解決するための手段】
【００１２】
本発明の教示によれば、集める光の量を増す光学コレクタが開示される。１つの実施の形態において、光学コレクタはＥＵＶ光線を集めるＥＵＶ光線源の一部である。光学コレクタは、楕円形皿形反射器のような反射器を備えている。反射器の焦点にて発生された光は反射器によって反射され且つ集光位置に向けられる。さもなければ失われるであろう光をより多量に集めるため、皿形反射器の外端縁の周りに環状反射器が設けられている。環状反射器によって反射された光は、皿形反射器の焦点と集光位置との間に配置された中央反射器に向けられ、環状反射器によって反射された光を所定の集光領域及び角度内となるように方向変更する。
【００１３】
１つの実施の形態において、環状反射器は線形の形状であり、中央反射器（アクシコン（ａｘｉｃｏｎ））は小型の多項形状の（ｐｏｌｙｎｏｍｉａｌ）円錐形反射器であり、この場合、光は環状反射器の内面から及び中央反射器の外面から反射される。１つの代替的な実施の形態において、環状反射器は回転反射器の多項体であり、中央反射器は線形円錐体反射器である。
【００１４】
本発明の更なる有利な効果及び特徴は、添付図面と共に参照したとき、以下の説明及び特許請求の範囲から明らかになるであろう。
【発明を実施するための最良の形態】
【００１５】
ＥＵＶ光線源用の光学コレクタに関する本発明の実施の形態の以下の説明は、性質上、単に一例にしか過ぎず、本発明又はその適用例或いは用途を制限することを何ら意図するものではない。例えば、以下の説明は、特に、ＥＵＶ光線源にて使用される光学コレクタに関するものである。しかし、当該技術分野の当業者に理解されるように、光学コレクタは、その他の波長の光を集めるその他のシステムにも適用される。
【００１６】
図３は、本発明の１つの実施の形態による、上記に論じたＥＵＶ光線源１０にて使用可能な光学コレクタ７０の断面平面図である。該光学コレクタ７０は、中央開口７４を有する楕円形の皿形反射器７２を有しており、該中央開口７４を通って上記に論じたように、レーザビームが標的領域７６に伝播する。ＥＵＶ光線７８は、上記に論じたように、標的領域７６にて発生され、皿形反射器７２の内面８０から反射され且つ集光位置８２に向けられる。この実施の形態において、標的領域７６は楕円形反射器７２の１つの焦点にあり、集光位置８２は楕円形反射器７２の他方の焦点にある。しかし、本発明の範囲に属するその他の実施の形態において、楕円形反射器７２は、特定の用途に適したその他の光学的形状体を備えることができ、この場合、標的領域７６及び集光位置８２は反射器７２の焦点とはならない。
【００１７】
上記に論じたように、反射器７２の外端縁８４から反射された光線７８の外側線８６、８８は、その円錐体の外側の光が使用不能である、円錐体の外面を画成する。皿形反射器７２をより大きく形成するならば、線８６、８８によって画成された円錐体は、線７８の一部分がＥＵＶ光線７８を使用してシステムの角度付き受け入れ部の外側となるより大型の円錐体を画成するであろう。本発明によれば、環状の線形切頭反射器のような、環状反射器９０は、さもなければ失われる可能性のあるＥＵＶ光線７８を集め且つ反射し得るよう反射器７２の外端縁８４に隣接する位置に設けられる。このため、反射器７２によって反射されないであろう光線７８の線９２は、環状反射器９０によって反射される。
【００１８】
通常、反射器９０によって反射された線９２は、線８６、８８によって画成された円錐体の外側にある。しかし、本発明によれば、例えば、動力作動式アクシコン反射器のような、中央反射器９４が、標的領域７６と集光位置８２の間に設けられて反射器９０によって反射された線９２の方向を変更する。明らかであるように、環状反射器９０から反射された線９２は、反射器９４によって方向変更され、線８６、８８によって画成された円錐体内にあるようにする。この実施の形態において、反射器９０、９４は、２つの回転面であり、ここで、線９２は反射器９０の内面から反射され且つ、反射器９４の外面から反射される。
【００１９】
反射器９０の内面及び反射器９４の外面は、ＥＵＶ光線源用の適宜な被覆材にて被覆される。１つの実施の形態において、反射器９０、９４上の被覆は、通常は、Ｓｉ／Ｍｏ多層である、反射器７２の内面８０の被覆と同一である。
【００２０】
図４は、本発明の別の実施の形態による、光線源１０内で同様に使用されることができる、光学コレクタ７０と同様である光学コレクタ１０２の断面平面図であり、ここで、同様の要素は同一の参照番号で示してある。この実施の形態において、環状反射器９０は、図示するように、湾曲形態を有する環状反射器１０４と置換されている。また、中央反射器９４は、線形アクシコン反射器１０にて、又は、動力作動部を有する切頭反射器にて置換されている。この実施の形態において、通常、失われるであろう線は、反射器１０４、１０６によって集められ且つ方向変更される。
【００２１】
上記の説明は、本発明の単に一例としての実施の形態を開示し且つ記述するものである。当該技術分野の当業者は、上記の説明及び添付図面並びに特許請求の範囲から、特許請求の範囲に記載された本発明の精神及び範囲から逸脱せずに、各種の変更、改変及び変化を具体化することが可能であることが容易に理解されよう。
【図面の簡単な説明】
【００２２】
【図１】既知のＥＵＶ光線源の平面図である。
【図２】図１に図示したＥＵＶ光線源用の既知の光学コレクタの断面平面図である。
【図３】本発明の１つの実施の形態による、ＥＵＶ光線のような光を集める光学コレクタの断面平面図である。
【図４】本発明の別の実施の形態による、ＥＵＶ光線のような光を集める光学コレクタの断面平面図である。
【符号の説明】
【００２３】
１０    ＥＵＶ光線源
１２    ノズル
１４    チャンバ
１６    毛管
１８    流れ
２０    標的領域
２２    レーザビーム
２４    レーザ源
２６    プロセスチャンバ
３０    プラズマ
３２    ＥＵＶ光線
３４    光学コレクタ
３６    開口
４２    楕円形の反射器
４４    ＥＵＶ光線
４６    中央開口
５０    標的領域
５２    焦点
５４、５６    最外側線
５８    反射器の内面
６０    線
７０    光学コレクタ
７２    皿形反射器
７４    中央開口
７６    標的領域
７８    ＥＵＶ光線
８０    皿形反射器の内面
８２    集光位置
８４    反射器の外端縁
８６、８８    外側線
９０    環状反射器
９２    反射器によって反射された線
９４    中央反射器
１０２    光学コレクタ
１０４、１０６    反射器
【図１】
2004333475.tif 000003
【図２】
2004333475.tif 000004
【図３】
2004333475.tif 000005
【図４】
2004333475.tif 000006